(57)【要約】      （修正有）【課題】必要時はシンクに跨らせて使用し、不必要時は簡単に折り畳めてコンパクトに仕舞うことができる有用な水切りを提供する。【解決手段】折り畳み自在に形成された水切り本体１と、該水切り本体１をシンクに取り付けるための取付部材２とを備える。水切り本体１は、可撓性シート材からなり、水切り孔１ａ１，１ａ１…を有する底面部１ａと、該底面部１ａの長手方向両端に連設された側面部１ｂ、１ｂと、前記底面部１ａの幅方向両端に連設された上下一対の端面部１ｃ、１ｃとを備える。また、互いに隣接する面には、それぞれ係合片３若しくは該係合片３と整合する係合スリット４が形成されており、全体をして折り畳み展開自在に形態を変化させることができる。取付部材２は、シンクの大きさに対応した長さを有する金属棒等の棒材からなり、水切り本体１の長手方向側面に挿通孔を介して着脱自在に貫通される。【選択図】 図１
0003142749.tif 000002
【実用新案登録請求の範囲】
【請求項１】
折り畳み自在に形成された水切り本体及び／又は該水切り本体をシンクに取り付けるための取付部材を備えたことを特徴とする水切り。
【請求項２】
前記水切り本体は、少なくとも一以上の水切り孔を有する底面部と、該底面部の長手方向両端に連設された一対の側面部と、前記底面部の幅方向両端に連設された一対の端面部と、互いに隣接する面同士を着脱自在に係止する係合片若しくは該係合片と整合する係合スリットとを備えた可撓性シート材で折り畳み展開自在に組み立てられることを特徴とする請求項１に記載の水切り。
【請求項３】
前記取付部材は、相対する水切り本体の両側面部にそれぞれ挿通孔を介して水切り本体をシンク内に架設せしめる一対の棒材であることを特徴とする請求項１に記載の水切り。
【請求項４】
少なくとも一以上の水切り孔を有する底面部と、該底面部の長手方向両端に連設された一対の側面部と、前記底面部の幅方向両端に連設された一対の端面部と、互いに隣接する面同士を着脱自在に係止する係合片若しくは該係合片と整合する係合スリットとを備えた可撓性シート材と、水切り本体の両側面部及び／又は両端面部にそれぞれ挿通孔を介して水切り本体をシンク内に架設せしめる一対の取付部材とを組み合わせてなることを特徴とする水切り。
【考案の詳細な説明】
【技術分野】
【０００１】
本考案は、主として台所のシンク内に架設して使用される水切りに関し、更に詳しくは、不使用時には簡単に折り畳めてコンパクトに仕舞うことができる有用な水切りに関する。
【背景技術】
【０００２】
従来、斯かる水切りとしては、例えば、一側壁面を切り倒し状に開放して台所のシンク側に臨ませるよう水切り用の誘導斜面部を設けたトレー体と、このトレー体に着脱自在に載置される水切り用のカゴ体とを有し、トレー体の一側壁面を縦長に起立形成し、このトレー体の一側壁面とトレー体に載置したカゴ体との間に、包丁や俎板等の収容空間部を備えている（例えば、特許文献１参照）。
【特許文献１】実用新案登録第３０６６４４０号公報
【考案の開示】
【考案が解決しようとする課題】
【０００３】
しかしながら、上述した従来の水切りにあっては、トレー体内部の水の溜まりを未然に防止して、トレー体に水垢が生じることもなく、水切り本体は勿論のこと、本体を置いている台所全体をも衛生的に片付けることができるといった利点を有するものの、不使用時には邪魔になってしまうといった問題があり、嵩張ることなく簡単かつコンパクトに仕舞うことができる水切りが要望されている。
【０００４】
本考案はこのような従来の問題点及び要望に鑑みてなされたもので、必要時はシンクに跨らせて使用し、不必要時は簡単に折り畳めてコンパクトに仕舞うことができる有用な水切りを提供することを目的としたものである。
【課題を解決するための手段】
【０００５】
上述の如き従来の問題点を解決し、所期の目的を達成するため本考案の要旨とする構成は、折り畳み自在に形成された水切り本体及び／又は該水切り本体をシンクに取り付けるための取付部材を備える水切りに存する。
【０００６】
また、前記水切り本体は、少なくとも一以上の水切り孔を有する底面部と、該底面部の長手方向両端に連設された一対の側面部と、前記底面部の幅方向両端に連設された一対の端面部と、互いに隣接する面同士を着脱自在に係止する係合片若しくは該係合片と整合する係合スリットとを備えた可撓性シート材で折り畳み展開自在に組み立てるのが良い。
【０００７】
更に、前記取付部材は、相対する水切り本体の両側面部にそれぞれ挿通孔を介して水切り本体をシンク内に架設せしめる一対の棒材を使用するのが良い。
【考案の効果】
【０００８】
本考案は上述のように構成され、折り畳み自在に形成された水切り本体及び／又は該水切り本体をシンクに取り付けるための取付部材を備えたことによって、取付部材を介してシンクに取り付けられ、不要時は簡単に折り畳んでコンパクトに仕舞うことができるといった効果を奏する。
【０００９】
また、前記水切り本体は、少なくとも一以上の水切り孔を有する底面部と、該底面部の長手方向両端に連設された一対の側面部と、前記底面部の幅方向両端に連設された一対の端面部と、互いに隣接する面同士を着脱自在に係止する係合片若しくは該係合片と整合する係合スリットとを備えた可撓性シート材で折り畳み展開自在に組み立てられることによって、互いに隣接する面同士を係合させることで簡単に箱状に組み立てられるだけではなく、斯かる係合状態を解除させることで、厚薄でコンパクトに折り畳めるため、不要時は嵩張ることなく仕舞うことができるといった効果を奏すると共に、コンパクトに折り畳まれた状態にあっては、俎板、解凍皿、トレー等の代わりとしても使用することができるなど頗る便利である。
【００１０】
更に、前記取付部材は、相対する水切り本体の両側面部にそれぞれ挿通孔を介して水切り本体をシンク内に架設せしめる一対の棒材であることによって、斯かる棒材を前記挿通孔に貫通させるだけの簡単操作で、シンクに架設できるのみならず、水切り本体と取付部材とが別々に遊離できるため、水切り本体、取付部材をまめに洗うことができるなど、衛生的であるといった効果を奏する。
【００１１】
また、本考案の水切りは、構成が単純であるため大量生産に適し、価格も低廉なものとして需要者に供給できる等、本考案を実施することはその実益的価値が甚だ大である。
【考案を実施するための最良の形態】
【００１２】
少なくとも一以上の水切り孔を有する底面部と、該底面部の長手方向両端に連設された一対の側面部と、前記底面部の幅方向両端に連設された一対の端面部と、互いに隣接する面同士を着脱自在に係止する係合片若しくは該係合片と整合する係合スリットとを備えた可撓性シート材と、水切り本体の両側面部及び／又は両端面部にそれぞれ挿通孔を介して水切り本体をシンク内に架設せしめる一対の取付部材とを組み合わせるのが良い。
【実施例１】
【００１３】
次に本考案に係る水切りの実施の一例を図面を参照しながら説明する。図中Ａは、本考案に係る水切りであり、この水切りＡは、図１に示すように、折り畳み自在に形成された水切り本体１と、該水切り本体１をシンクに取り付けるための取付部材２とを備えている。
【００１４】
水切り本体１は、例えば、合成樹脂材等の可撓性シート材からなり、図１に示すように、円孔の水切り孔１ａ１  ，１ａ１  …を有する底面部１ａと、該底面部１ａの長手方向両端に連設された左右一対の側面部１ｂ、１ｂと、前記底面部１ａの幅方向両端に連設された上下一対の端面部１ｃ、１ｃとを備えている。
【００１５】
また、水切り本体１の互いに隣接する面には、それぞれ係合片３若しくは該係合片３と整合する係合スリット４が形成されており、全体をして折り畳み展開自在に形態を変化させることができる。
【００１６】
前記取付部材２は、シンクの大きさに対応した長さを有する金属棒等の棒材からなり、水切り本体１の長手方向側面部１ｂ，１ｂの上端縁に沿って平行に形成された横長の挿通孔５，５…に抜き差し自在に貫通される。
【００１７】
このように構成される水切りＡは、図３に示すように、互いに隣接する係合片３と係合スリット４同士を係合させるだけで、簡単に箱状に組み立てられ、次いで、長手方向の側面部１ｂ，１ｂの挿通孔５，５…に金属棒である取付部材２，２を串差し状に貫通させるだけで(図１参照)、水切り本体１を簡単にシンク内に架設することができるのである。
【００１８】
また、不要時は、取付部材２，２を抜き取り、上述した係合片３と係合スリット４との係合状態を解除させ、図５に示すように、薄厚状に折り畳めることにより、嵩張ることなく簡単かつコンパクトに仕舞うことができる。
【００１９】
しかも、水切り本体１と取付部材２とが別々に遊離できるため、水切り本体１、取付部材２をまめに洗うことができ衛生的であり、更に、コンパクトに折り畳まれた状態にあっては(図５参照)、俎板、解凍皿、トレー等の代わりとしても使用することができるため、頗る便利である。因に、図中１ｂ１  ，１ｃ１  は水切り孔である。
【００２０】
尚、本考案の水切りは本実施例に限定されることなく、本考案の目的の範囲内で自由に設計変更し得るものであり、本考案はそれらの全てを包摂するものである。例えば、本実施例では、水切り本体１の長手方向のみに取付部材２を配設しているが、これに限定されることなく、幅方向に或いは長手方向及び幅方向の両方に取付部材２を配設して水切り本体１を架設させても良い。その際、シンク内に架設される取付部材２の余剰部分を有効利用すべくフキンや箸などを掛け置くことができることは云うまでもない。また、例えば、中空パイプと棒材の組み合わせによる伸縮自在な取付部材(図示せず)を使用しても良い。
【図面の簡単な説明】
【００２１】
【図１】本考案に係る水切りの使用状態を示す説明図である。
【図２】本実施例で使用する水切り本体の展開図である。
【図３】図３(ａ)は同水切り本体を組み立てた状態を示す正面図、図３(ｂ)は同平面図である。
【図４】同水切り本体を組み立てた状態を示す側面図である。
【図５】同水切り本体を折り畳んだ状態を示す平面図である。
【符号の説明】
【００２２】
１  水切り本体
１ａ  底面部
１ａ１  水切り孔
１ｂ  側面部
１ｂ１  水切り孔
１ｃ  端面部
１ｃ１  水切り孔
２  取付部材
３  係合片
４  係合スリット
５  挿通孔
【図１】
0003142749.tif 000003
【図２】
0003142749.tif 000004
【図３】
0003142749.tif 000005
【図４】
0003142749.tif 000006
【図５】
0003142749.tif 000007